(57)【要約】  複数のユーザ機器ユニットに対するＭＢＭＳコンテンツの伝送に対して、参加ユーザ機器ユニットの数が閾値を超える場合のみにｐ２ｍチャネルの使用が有益であることができる。しかしながら、アイドルモードＵＥ、非参加ＵＥが通知に応答することができ、したがって前記ＭＢＭＳコンテンツを受信することができるＵＥをより多数に見せかけることができるという事実のため、カウントすることは困難である。本発明によると、前記ＭＢＭＳサービスに参加する場合、前記ユーザ機器ユニットと、前記ＵＥが参加している前記ＭＢＭＳサービスを配信するＲＮＣとにのみ知られている数が、前記ＵＥに与えられる。前記ＵＥは、サービス通知に応答する場合はいつでも、この数を使用する。前記ＲＮＣは、対応する数を決定し、前記ＵＥから受信された数が前記ＲＮＣにより決定された数と一致する場合に、前記ＵＥがカウントされる。有利には、インテグリティ保護が、依然としてアイドルモードである参加ＵＥに対する前記通知の応答に対して提供されることができる。
2007501584.tif 000002
【特許請求の範囲】
【請求項１】
サービスのコンテンツを復号することができるユーザ機器ユニットをカウントする方法であって、各ユーザ機器ユニットが識別子を持ち、前記ユーザ機器ユニットが移動無線電気通信ネットワークの無線セル内に配置される方法において、前記サービスに加入している前記ユーザ機器ユニットのそれぞれに鍵を与えるステップと、前記無線セルにおいてアナウンスメッセージを放送するステップと、前記ユーザ機器ユニットから前記移動無線電気通信ネットワークに第１のトークンを伝送するステップと、前記移動無線電気通信ネットワークにおいて前記第１のトークンを第２トークンと照合するステップと、対応する前記第１のトークンと前記第２のトークンとの対をカウントするステップとを有する方法。
【請求項２】
前記鍵を前記ユーザ機器ユニットの対応する識別子と一緒に前記移動無線電気通信ネットワークに記憶するステップと、前記識別子及び前記鍵に基づいて前記ユーザ機器ユニットにおいて前記第１のトークンを生成するステップと、前記移動無線電気通信ネットワークに記憶された前記識別子及び対応する鍵に基づいて前記移動無線電気通信ネットワークにおいて前記第２のトークンを生成するステップとを更に有する、請求項１に記載の方法。
【請求項３】
前記鍵が秘密であり、前記サービスに加入している各ユーザ機器ユニットが、前記鍵及び補助的な数に基づいて前記第１のトークンを生成し、前記サービスに加入している各ユーザ機器ユニットが、前記第１のトークン及び前記補助的な数を前記移動無線電気通信ネットワークに伝送する、請求項２に記載の方法。
【請求項４】
前記補助的な数が時間を表し、前記補助的な数により表わされる時間が所定の閾値より古くない場合に、前記移動無線電気通信ネットワークが、前記第１のトークンを前記第２のトークンと照合する、請求項３に記載の方法。
【請求項５】
前記補助的な数が、前記移動無線電気通信ネットワークによりランダムに決定される数であり、前記アナウンスメッセージと共に前記ユーザ機器ユニットに伝送され、前記補助的な数が各カウントプロセスに対して変更される、請求項３に記載の方法。
【請求項６】
各カウントプロセスに対して１つの実際の補助的な数が存在するように、前記補助的な数が各カウントプロセスに対してインクリメントされ、前記移動無線電気通信ネットワークが、前記実際の補助的な数と一緒に受信された前記第１のトークンのみを第２のトークンと照合する、請求項３に記載の方法。
【請求項７】
前記補助的な数がプレーンテキストとして送信される、請求項３に記載の方法。
【請求項８】
前記サービスに加入している前記ユーザ機器ユニットにそれぞれ与えられた前記鍵が複数の第１のトークンをそれぞれ含み、前記方法が、前記鍵を与えられた前記ユーザ機器ユニットの前記識別子と一緒に前記無線電気通信ネットワークに前記第１のトークンに対応する複数の第２のトークンを記憶するステップを更に有する、請求項１に記載の方法。
【請求項９】
前記ユーザ機器ユニットにおける前記第１のトークンの生成が更に時間に基づき、前記移動無線電気通信ネットワークにおいて、前記第２のトークンの生成が更に時間に基づく、請求項２に記載の方法。
【請求項１０】
前記移動無線電気通信ネットワークにおいて、複数の第２のトークンが生成され、前記複数の第２のトークンの第３のトークンが実際の時間に基づいて生成され、前記複数の第２のトークンの第４のトークンがシフトされた時間に基づいて生成され、前記シフトされた時間が前記実際の時間を所定の時間期間だけ先行し、前記第３のトークン及び前記第４のトークンのうち１つが前記第１のトークンと一致する場合に、前記第１のトークンと前記第２のトークンとの対応する対がカウントされる、請求項９に記載の方法。
【請求項１１】
前記サービスが、マルチメディア放送マルチキャストサービスであり、前記無線電気通信ネットワークが、符号分割多重アクセス技術に基づく、請求項１に記載の方法。
【請求項１２】
サービスのコンテンツを復号することができるユーザ機器ユニットをカウントする無線ネットワークコントローラにおいて、各ユーザ機器ユニットが識別子を持ち、前記ユーザ機器ユニットが前記無線ネットワークコントローラにより制御される無線セル内に配置され、前記サービスに加入しているユーザ機器ユニットをカウントするために、前記無線ネットワークコントローラが、前記サービスに加入している前記ユーザ機器ユニットのそれぞれに鍵を与える動作と、前記無線セル内でアナウンスメッセージを放送する動作と、前記ユーザ機器ユニットから移動無線電気通信網への第１のトークンを受信する動作と、前記第１のトークンを第２のトークンと照合する動作と、対応する第１のトークンと第２のトークンとの対をカウントする動作と、一致した対の数を前記サービスに加入しているユーザ機器ユニットの数として出力する動作とを実行するように構成された無線ネットワークコントローラ。
【請求項１３】
前記無線ネットワークコントローラが更に、前記鍵を前記ユーザ機器ユニットの対応する識別子と一緒に記憶するように構成され、前記無線ネットワークコントローラが、前記識別子及び対応する鍵に基づいて前記移動無線電気通信ネットワークにおいて前記第２のトークンを生成するように構成される、請求項１２に記載の無線ネットワークコントローラ。
【請求項１４】
前記アナウンスメッセージが、タイムスタンプ及び補助的な数の少なくとも１つを含み、前記アナウンスメッセージが前記タイムスタンプを含む場合には所定の閾値より古くないタイムスタンプと一緒に、又は前記アナウンスメッセージが前記補助的な数を含む場合には先行するカウントプロセスからの無効な補助的な数ではなく実際のカウントプロセスの有効な補助的な数と一緒に前記第１のトークンが受信された場合のみに、前記無線ネットワークコントローラが、前記第１のトークン及び前記第２のトークンを照合する、請求項１２に記載の無線ネットワークコントローラ。
【請求項１５】
移動無線電気通信ネットワークの無線ネットワークコントローラにより制御される無線セル内で動作するユーザ機器ユニットにおいて、前記ユーザ機器ユニットがサービスのコンテンツを復号することができ、前記ユーザ機器ユニットが前記移動無線電気通信ネットワークにおいて識別子を持ち、前記ユーザ機器ユニットが、前記サービスに加入している前記無線セル内のユーザ機器ユニットのカウントプロセスの間に、前記サービスの初期化中に前記無線ネットワークコントローラから鍵を受信する動作と、前記無線ネットワークコントローラからアナウンスメッセージを受信する動作と、前記識別子及び前記鍵に基づいて第１のトークンを生成する動作と、前記移動無線電気通信ネットワークに前記第１のトークンを伝送する動作とを実行するように構成されるユーザ機器ユニット。
【請求項１６】
前記ユーザ機器ユニットが、前記鍵及び補助的な数に基づいて前記第１のトークンを生成し、前記ユーザ機器ユニットが、前記第１のトークン及び前記補助的な数を前記ネットワークに伝送する、請求項１５に記載のユーザ機器ユニット。
【請求項１７】
サービスのコンテンツを復号することができるユーザ機器ユニットをカウントするために移動無線電気通信ネットワークの無線ネットワークコントローラを動作するソフトウェアプログラムにおいて、各ユーザ機器ユニットが識別子を持ち、前記ユーザ機器ユニットが、前記無線ネットワークコントローラにより制御される無線セル内に配置され、前記サービスに加入しているユーザ機器ユニットをカウントするために、前記ソフトウェアプログラムが前記無線ネットワークコントローラのプロセッサ上で実行された場合に、前記サービスに加入している前記ユーザ機器ユニットのそれぞれに鍵を与える動作と、前記無線セル内でアナウンスメッセージを放送する動作と、前記ユーザ機器ユニットから前記移動無線電気通信ネットワークへの複数の第１のトークンを受信する動作と、前記第１のトークンを第２のトークンと照合する動作と、対応する第１のトークンと第２のトークンとの対をカウントする動作と、一致した対の数をサービスに加入しているユーザ機器ユニットの数として出力する動作とを前記無線ネットワークコントローラに実行させるソフトウェアプログラム。
【請求項１８】
移動無線電気通信ネットワークの無線ネットワークコントローラにより制御される無線セル内のユーザ機器ユニットを動作するソフトウェアプログラムにおいて、前記ユーザ機器ユニットがサービスのコンテンツを復号することができ、前記ユーザ機器ユニットが前記移動無線電気通信ネットワークにおいて識別子を持ち、前記ソフトウェアプログラムが前記ユーザ機器ユニットのプロセッサ上で実行される場合に、前記サービスの初期化中に前記無線ネットワークコントローラから鍵を受信する動作と、前記無線セルにおいて前記無線ネットワークコントローラからアナウンスメッセージ放送を受信する動作と、前記識別子及び前記鍵に基づいて第１のトークンを生成する動作と、前記第１のトークンを前記移動無線電気通信ネットワークに伝送する動作とを前記サービスに加入している前記無線セル内のユーザ機器ユニットのカウントプロセス中に前記ユーザ機器ユニットが実行するソフトウェアプログラム。
【発明の詳細な説明】
【技術分野】
【０００１】
本発明は、移動無線電気通信ネットワーク（mobile radio telecommunication network）の分野に関する。特に、本発明は、サービスに加入しているユーザ機器ユニットをカウントする方法と、サービスに加入しているユーザ機器ユニットをカウントする無線ネットワークコントローラと、無線ネットワークコントローラにより制御される無線セル内で動作するユーザ機器ユニットと、移動無線電気通信ネットワークの無線ネットワークコントローラを動作するソフトウェアプログラムと、移動無線電気通信ネットワークの無線ネットワークコントローラにより制御され、無線セル内のユーザ機器ユニットを動作するソフトウェアプログラムとに関する。
【背景技術】
【０００２】
3 GPP TS 25.346v1.3.0:“Introduction of Multimedia Broadcast/Multicast Service (MBMS) in the Radio Access Network (Stage-2)”は、移動無線電気通信システムの１つ又は複数の無線セル内の複数の受信器ＵＥ（ＵＥ：ユーザ機器）に対して同じコンテンツ又はデータを伝送する方法を記載している。関連する課題は、サブスクライバ（subscribers）若しくは受信器の閉じたグループ（マルチキャスト）又は無線セル内の全ての受信器（放送）に対するマルチメディアデータの効率的な伝送である。伝送がＵＥの閉じたグループ又は無線セル内の全てのＵＥ若しくはサブスクライバに関連することができるという事実のため、このようなサービスは、“マルチメディア放送／マルチキャストサービス（Multimedia Broadcast/Multicast Services）”（ＭＢＭＳ）と称される。ＭＢＭＳペイロードデータ又はユーザデータは、以下、ＭＢＭＳコンテンツと称される。3 GPP TS 25.346v1.3.0:“Introduction of Multimedia Broadcast/Multicast Service (MBMS) in the Radio Access Network (Stage-2)”に記載された方法は、参照により本書に含まれる。
【０００３】
3 GPP TS 23.846v6.1.0,“Multimedia Broadcast/Multicast Service: Architecture and Functional Description, (Release 6)”によると、ＵＭＴＳサブスクライバは、ＭＢＭＳサービスに加入しており且つこのサービスをアクティブ化している場合に、ＵＥを用いてＭＢＭＳコンテンツを受信することのみができる。サービスのアクティブ化は、“サービスに参加する”とも称される。サービスのアクティブ化は、少なくとも、ネットワークノードが、特定のＭＢＭＳを受信することを望むＵＥ又はＵＭＴＳサブスクライバのアイデンティティ（identity）に関して通知されていることを意味する。ＭＢＭＳサービスに参加しているＵＭＴＳサブスクライバにより使用されるＵＥは、‘“参加（joined）”ＵＥ’、‘ＭＢＭＳサービスに参加しているＵＥ’又は‘アクティブ化されたＭＢＭＳサービスを有するＵＥ’とも称される。アクティブ化されたＭＢＭＳサービスを有するＵＥは、ＭＢＭＳサービスが実際に配信される無線セルにおいて前記ＭＢＭＳサービスを受信するかもしれないし、しないかもしれない。
【０００４】
同じＭＢＭＳコンテンツが、同じ又は限定された数の無線セル内の複数のＵＥに対して伝送されるという事実のため、ほとんどの場合、コンテンツ／データは、複数のＵＥが同時に聞く１つの物理的チャネルのみで送信されなければならないので、ｐ２ｍ（ポイント・ツー・マルチポイント）チャネルの使用が有利である。したがって、前記複数のＵＥは、この１つの物理的チャネルで送信されたデータを（同時に）復号することができる。しかしながら、ＵＭＴＳで使用されるＣＤＭＡ（符号分割多重アクセス）技術のため、ｐ２ｍチャネルの使用は、少数の受信ＵＥのみが関与する場合には不利である。
【０００５】
換言すると、ＭＢＭＳサービスに参加しており、ＭＢＭＳコンテンツを受信することを意図するＵＥの中の限定された数のＵＥのみの場合に、このような少数のｐ２ｐ（ポイント・ツー・ポイント）チャネル上のデータ／コンテンツの並列伝送は、ｐ２ｍチャネルを介する伝送と比較してより効率的であり得る。このようなｐ２ｐチャネルは、ＵＭＴＳにおいて、いわゆる専用チャネル（ＤＣＨ）により表される。
【０００６】
ＤＣＨは、通常、閉ループ電源制御装置を有し、これは、少数のＵＥのみがサービスに加入して同じＭＢＭＳコンテンツを受信する場合に、有利には結果として生じる混信（interference）に関してｐ２ｍチャネルと比較してより効率的且つ好適であり得る。例えば、結果として生じる混信に関して、ＤＣＨは、無線セル内にＭＢＭＳサービスに加入している唯一のＵＥが存在する場合に、閉ループ電源制御装置を持たないｐ２ｍチャネルと比較して有利である。参照により本書に含まれるR2-022584,“Power Usage for Mixed FACH und DCH for MBMS”, Lucent Technologiesによると、同じデータ／コンテンツを受信する５個までのＵＥに対して、ｐ２ｐチャネルの使用は１つのｐ２ｍチャネルの使用と比較して有利である。しかしながら、ｐ２ｍチャネルの使用がｐ２ｐチャネルの使用と比較して有利になる正確な数又は閾値は、無線セル内のＵＥの局地的分布にも依存する。したがって、3 GPP TS 25.346v1.3.0:“Introduction of Multimedia Broadcast/Multicast Service (MBMS) in the Radio Access Network (Stage-2)”は、サービスに加入して同じＭＢＭＳコンテンツ／データを受信する無線セル内のＵＥの数に依存して複数のＤＣＨと１つのｐ２ｍチャネルとの間で伝送を切り替える可能性を与える。複数のＤＣＨと１つのｐ２ｍチャネルとの間の伝送の切り替えの基準は、同じデータコンテンツを受信する１つの無線セル内の参加ＵＥの数であり、即ち１つの無線セル内の前記サービスを受信するＵＥの数が閾値Ｓp2pを超える場合に、ＭＢＭＳコンテンツは、ｐ２ｍチャネルを介してこのセル内を伝送され、そうでなければ複数のＤＣＨを介して伝送される。この切り替えに関する決定は、無線ネットワークコントローラ（ＲＮＣ）により行われる。
【０００７】
ＭＢＭＳサービス配信が開始する場合に、ＲＮＣは、多くの場合、無線セル内のＵＥの数がｐ２ｍチャネルの使用を正当化するのに十分高いかどうか全くわからない。この場合、通知チャネルを介してコンテンツ配信の開始をアナウンスした後に、ＲＮＣは、この通知に応答して受け手（ＵＥ）の数に関する情報を得ることができる。既に接続モードである参加ＵＥに対して、この応答はインテグリティ保護され、即ちＲＮＣは、以前にＵＭＴＳネットワークに対して認証されており且つ実際にＭＢＭＳサービスに参加しているＵＥから前記応答が生じると仮定することができる。依然としてアイドルモード（idle mode）である“参加”ＵＥに対して、前記ＵＥにおいて前記ＲＮＣに対する利用可能なインテグリティ保護は依然として存在しないので、前記応答はインテグリティ保護されることができない。この故に、コンテンツ配信通知の後に、アイドルモードＵＥ、また非参加ＵＥは、前記通知に応答することができ、この故にＭＢＭＳコンテンツを受信することができるＵＥをより多数に見せかけることができる。結果として、ＲＮＣはｐ２ｍチャネルを使用することを決定するが、複数のｐ２ｐチャネルがより適切である。
【発明の開示】
【発明が解決しようとする課題】
【０００８】
本発明の目的は、サービスに加入しているユーザ機器ユニット（ＵＥ）の正確なカウントを提供することである。
【課題を解決するための手段】
【０００９】
本発明の模範的実施例によると、上述の目的は、サービスに加入しているユーザ機器ユニットのそれぞれが鍵を備える、サービスに加入しているユーザ機器ユニットをカウントする方法により解決されることができる。前記ユーザ機器ユニットは、移動無線電気通信ネットワークの無線セル内に配置される。アナウンスメッセージ（announcement message）は、例えば前記サービスがコンテンツ配信を開始する前記無線セルにおいて放送される。第１のトークンは、前記ユーザ機器ユニットから前記移動無線電気通信ネットワークに伝送され、前記移動無線電気通信ネットワークにおいて前記第１のトークンが第２のトークンと照合される。本発明の態様によると、対応する第１のトークン及び第２のトークンの対がカウントされる。換言すると、本発明のこの模範的実施例によると、前記ＵＥからの第１のトークンは、前記移動無線電気通信ネットワークにおいて第２のトークンに照合される。前記第１のトークンが第２のトークンと一致することができる場合、前記サービスに加入しているＵＥが存在する。したがって、対応する第１のトークン及び第２のトークンの対をカウントすることにより、このサービスに加入している前記無線セル内のＵＥの数が決定されることができる。有利には、前記サービスに加入している前記無線セル内のアイドルモードＵＥ及びアクティブＵＥが正確にカウントされることができ、非参加ＵＥがカウントに含まれることが避けられることができる。
【００１０】
請求項２に記載された本発明の他の模範的実施例によると、前記ユーザ機器ユニット内の前記第１のトークンは、識別子及び鍵に基づいて生成され、前記第２のトークンは、前記移動無線電気通信ネットワークにおいて（例えばＲＮＣにおいて）前記移動無線電気通信ネットワークに記憶された識別子及び対応する鍵に基づいて生成される。有利には、本発明のこの模範的実施例によると、通知応答に対する向上されたインテグリティ保護が、依然としてアイドルモードである参加ＵＥに対して提供されることができる。
【００１１】
請求項３に記載の本発明の他の模範的実施例によると、前記サービスに加入している前記ユーザ機器ユニットは、前記第１のトークンの生成に補助的な数を算入する。この場合、前記第１のトークン及び前記補助的な数は、再送（re-sent）カウントメッセージ（counting message）、即ち１つのＵＥから既に送信されたカウントメッセージが他のＵＥにより再送されることができることを避けることを可能にする。本発明のこの模範的実施例の態様によると、前記補助的な数は、プレーンテキストとして前記カウントメッセージの一部として送信されることができる。有利には、これは、前記補助的な数が通知チャネルを介して伝送される必要がないことを可能にする。
【００１２】
請求項４に記載された本発明の他の模範的実施例によると、前記補助的な数はタイムスタンプである。本発明のこの模範的実施例によると、前記移動無線電気通信ネットワークは、受信されたタイムスタンプをカウントプロセスの閾値時間と比較する。前記受信されたタイムスタンプが前記閾値より古い場合、前記移動無線電気通信ネットワークは、前記受信されたタイムスタンプが複製及び再送されたカウントメッセージの一部であり、実際のカウントにおいてこのカウントメッセージを含まないと仮定する。前記タイムスタンプが前記閾値時間を超えない場合、前記カウントメッセージがこのカウントプロセスに算入される。
【００１３】
請求項５に記載された本発明の他の模範的実施例によると、前記補助的な数はランダムに決定される数であり、前記アナウンスメッセージと共に前記ユーザ機器ユニットに伝送される。この場合、前記アナウンスメッセージを送信するＣＲＮＣはこのランダムな数を知っており、前記第２のトークンを計算するプロセスで前記ランダムな数を使用することができるので、前記カウントメッセージにもこの補助的な数を含む必要は無い。
【００１４】
請求項６に記載の本発明の他の模範的実施例によると、前記補助的な数は、各カウントプロセスに対してインクリメントされる。したがって、各カウントプロセスに対して、唯一の有効な補助的な数が存在する。前記移動無線電気通信ネットワークが前記補助的な数と一緒に前記第１のトークンを受信する場合、前記第１のトークンが、実際の、即ち対応するカウントプロセスに対する有効な補助的な数と一緒に受信される場合のみに前記第１のトークンを前記第２のトークンに照合する。これは、先行するカウントプロセスの間に複製されたカウントメッセージが、実際のカウントプロセスのカウント結果を改ざんすることを避ける。
【００１５】
請求項７ないし１１は、本発明の更に他の模範的実施例を提供する。
【００１６】
請求項１２に記載の本発明の他の模範的実施例によると、例えばＲＮＣのような無線ネットワークコントローラが、特定のサービスに加入している無線セル内のユーザ機器ユニットをカウントするために設けられる。前記サービスに加入しており、前記サービスをアクティブ化している前記無線セル内の前記ユーザ機器ユニットは、前記ユーザ機器ユニットから受信された第１のトークンを前記無線ネットワークコントローラに記憶された第２のトークンと照合することによりカウントされる。本発明のこの模範的実施例によると、前記第１のトークンと前記第２のトークンとの一致した対の数は、前記サービスに加入している前記無線セル内のユーザ機器ユニットの数として出力される。この数に基づいて、ｐ２ｐチャネル又はｐ２ｍチャネルのどちらがより有利に対応するコンテンツ／データを前記サービスに加入しているユーザ機器ユニットに伝送するかに関して前記移動無線電気通信ネットワークにより信頼できる決定が行われることができる。
【００１７】
請求項１３及び１４は、本発明の更に他の模範的実施例を提供する。
【００１８】
請求項１５に記載の本発明の他の模範的実施例によると、例えば、携帯電話、ＰＤＡ、ノート型パソコン、又は無線セル内で動作する同様な装置のようなユーザ機器ユニットは、無線ネットワークコントローラにより制御される。本発明のこの模範的実施例によると、前記ユーザ機器ユニットは、前記サービスに対するそれぞれのユーザ機器ユニットの初期化の間に（前記サービスに対する前記ＵＥの加入プロセスの間に）前記無線ネットワークコントローラから受信された識別子及び鍵に基づいて第１のトークンを生成する。前記第１のトークンは、前記無線電気通信ネットワークに伝送される。
【００１９】
請求項１６は、本発明によるユーザ機器の有利な模範的実施例を提供する。
【００２０】
請求項１７に記載の本発明の他の模範的実施例によると、サービスに加入しているユーザ機器ユニットをカウントするために移動無線電気通信ネットワークの無線ネットワークコントローラを動作するソフトウェアプログラムが提供される。
【００２１】
請求項１８に記載された本発明の他の模範的実施例によると、移動無線電気通信ネットワークの無線ネットワークコントローラにより制御される無線セル内のユーザ機器ユニットを動作するソフトウェアプログラム又はコンピュータプログラムが提供される。
【００２２】
本発明の上述の模範的実施例によるソフトウェアプログラムは、好ましくは、前記移動無線電気通信ネットワーク又は前記ユーザ機器ユニットのデータプロセッサのワーキングメモリにロードされる。したがって前記データプロセッサは、本発明による方法を実行するために備えられる。前記ソフトウェアプログラムは、ＣＤ−ＲＯＭのようなコンピュータ読取可能媒体に記憶されることができる。前記ソフトウェアプログラムは、ワールドワイドウェブのようなネットワーク上で与えられてもよく、例えばネットワークからデータプロセッサのワーキングメモリにダウンロードされることができる。
【００２３】
ＵＥがサービスに参加する場合に、秘密の（サービス特有ではない）数がＵＥに与えられ、前記秘密の数が、前記ＵＥと、前記ＵＥが参加した前記サービスを配信する前記移動無線電気通信ネットワーク内のＲＮＣとにのみ知られていることは、本発明の模範的実施例の要点として見られることができる。この秘密の数又は鍵は、本発明の態様によると、したがって、各ＲＮＣに記憶されたＭＢＭＳコンテンツの一部であってもよい。前記参加ＵＥがサービス通知に応答する場合はいつでも、例えば、トークンを決定する通知の一部としてクリアテキストで送信されることができる補助的な数と一緒にこの秘密の数を使用し、通知するＲＮＣは、前記秘密の数及び前記補助的な数から前記トークンをも計算する。この場合、前記ＵＥにより生成されたトークンと、前記ネットワークに送信されたトークンと、前記ＲＮＣにより生成されたトークンとをカウントすることにより、前記無線セル内に配置された前記サービスに加入しているＵＥの正確な数が決定されることができる。有利には、これは、依然としてアイドルモードである参加ＵＥに対しても、通知応答に対するインテグリティ保護を提供する。
【００２４】
本発明のこれら及び他の態様は、以下に記載される実施例を参照して、及び以下の図面を参照して説明され、明らかになる。
【発明を実施するための最良の形態】
【００２５】
図１は、本発明の模範的実施例によるネットワークアーキテクチャの模範的実施例を示す。図１において、複数の無線セル２は、移動無線電気通信ネットワーク４の一部である。図１に示されるように、１つ又は複数の無線セルは、無線トランシーバであってもよいノードＢ６に接続される。複数のセル２に対して働く各ノードＢ６は、正確に１つのＲＮＣ８（ＲＮＣ＝無線ネットワークコントローラ）に接続される。図１からわかるように、ノードＢ６は、直接的に又はＲＮＣ８とノードＢ６との間のインターフェースＩｕｂを介してのいずれかでそれぞれのＲＮＣ８に接続されることができる。ＲＮＣ８は、インターフェースＩｕｒを介して互いに接続されることができる。ＲＮＣ８は、直接的に又はインターフェースＩｕ−ｐｓを介してのいずれかでコアネットワークＣＮ８に接続されることができる。コアネットワーク８は、ＲＮＣ８に接続された複数のサービング（serving）ＧＰＲＳサポートノードＳＧＳＮ１０を有する。ＳＧＳＮ１０は、それぞれのＧｎ−Ｇｐインターフェースを介して（Ｇｎ：公有地移動式ネットワーク内のＧＰＲＳサポートノード間のインターフェース、Ｇｐ：異なる公有地移動式ネットワーク内のＧＰＲＳサポートノード間のインターフェース）ゲートウェイＧＰＲＳサポートノードＧＧＳＮ１２に接続されることができる。ＧＧＳＮ１２は、インターフェースＧｉを介してＢＭ−ＳＣ（放送マルチキャストサービスセンタ）に接続される。ＢＭ−ＳＣ１４は、コンテンツプロバイダ１６に接続される。ＳＧＳＮ１０、ＧＧＳＮ１２、ＢＭ−ＳＣ１４及び前記コンテンツプロバイダは、コアネットワーク８の一部である。
【００２６】
それぞれのノードＢ６が接続されるＲＮＣ８は、それぞれのノード６又はノードＢ６により供給されるそれぞれの無線セル２の制御ＲＮＣ（ＣＲＮＣ）と称される。図１の場合にはＵＴＲＡＮ、即ちＵＭＴＳ地上無線アクセスネットワーク（UMTS Terrestrial Radio Access Network）であることができる移動無線電気通信ネットワーク４にＵＥ１８がログインする場合、前記ＵＥと前記ＵＴＲＡＮとの間にＲＲＣ（無線リソース制御）接続が存在する。この場合、前記ＵＥは、いわゆる接続モードである。したがって、前記ＵＥがＤＣＨ（専用チャネル）を介してデータ又はコンテンツを受信する場合、前記ＵＥはＣＥＬＬ＿ＤＣＨ状態である。前記ＵＥが、前記接続モードにおいて前記ＤＣＨと異なるチャネルを介してデータを受信する場合、このような状態は、ＣＥＬＬ＿ＤＣＨとは称されない。これらの状態の明示的な記載は、例えば、参照により本書に含まれる3 GPP TS 25.346v1.3.0:“Introduction of Multimedia Broadcast/Multicast Service (MBMS) in the Radio Access Network (Stage-2)”、参照により本書に含まれる3 GPP TS 23.846v6.1.0,“Multimedia Broadcast/Multicast Service: Architecture and Functional Description, (Release 6)”、及び参照により本書に含まれる3 GPP TS 25.331v540“Radio resource Control (RRC) protocol specification”, Release5から取られることができる。
【００２７】
前記ＲＲＣ接続の終点は、それぞれのＵＥ１８及びサービングＲＮＣ（ＳＲＮＣ）とも称されることができる対応するＲＮＣ８である。前記ＲＲＣ接続は、Ｕ−ＲＮＴＩ（ＵＬＴＲＡＮ無線ネットワークテンポラリアイデンティティ（ULTRAN Radio Network Temporary Identity））とも称される前記ＵＬＴＲＡＮ内のＵＥ１８の特有の識別子ＩＤによりはっきりと識別される。前記Ｕ−ＲＮＴＩは、ログイン手順の間に対応するＲＮＣ８によりＵＥ１８に割り当てられる。前記Ｕ−ＲＮＴＩをＵＥ１８に割り当てることにより、ＲＮＣ８はＳＲＮＣになる。ＲＮＣ接続の終点又は終端点は、ＲＬＣサービスデータユニット（ＳＤＵ）の分割と、ＲＬＣ  ＰＤＵ（プロトコルデータユニット）に含まれるＳＤＵセグメントの起こり得る伝送反復とを提供するＲＬＣ（無線リンク制御）プロトコルの終点と同じである。ログインプロセスの直後には、前記ＳＲＮＣ及び前記ＣＲＮＣは同一であるが、しかしながら、ＵＥ１８がＰＤＡ、ノート型パソコン又は携帯電話のような移動式ＵＥ１８である場合に、ＵＥ１８は、前記ＳＲＮＣが同じ状態のままである間に、１つの無線セルから他のＣＲＮＣに割り当てられた他の無線セル２に移動することができる。
【００２８】
ＳＲＮＳリロケーション手順（ＳＲＮＳ：サービング無線ネットワークシステム）は、新しいＣＲＮＣがそれぞれのＵＥ１８に対する前記ＳＲＮＣの機能を引き受けることができることを保証する。上述のように、ＲＮＣ８は、Ｉｕ−ｐｓインターフェースによりコアネットワークＣＮ８に接続されることができ、コアネットワークＣＮ８を介して、例えばインターネット又は他のパケット切り替えネットワークに対する接続が実行されることができる。ＲＮＣ８をコアネットワークＣＮ８に接続するＣＮノードは、いわゆるＧＰＲＳサポートノード（ＧＳＮ）１０である。音声伝送をサポートするために、ＲＮＣ８は、Ｉｕ−ｃｓインターフェース及びＭＳＣ（図１には示されていない移動切り替えセンタ（Mobile Switching Center））を介してＣＮ８に接続されることもできる。前記ＭＳＣは、ＲＮＣ８をＩＳＤＮネットワークのような固定電子通信網に接続する。
【００２９】
上述のように、ＣＮ４へのＵＥ１８のログインは、ＲＲＣ接続のセットアップを必要とする。これを用いて、前記ＵＥは、ルーティング領域更新メッセージ（パケット切り替え伝送の場合）又はロケーション領域更新（音声伝送の場合）をホームロケーションレジスタ（ＨＬＲ、図１には示されない）に送信することができる。これにより、ＵＥ１８は、前記ルーティング領域又は前記ロケーション領域内のロケーションに関してネットワークに知らせる。前記ＵＥがペイロードデータ／データコンテンツ伝送を実行せず、ただ利用可能であることを望む場合、前記ＲＲＣ接続は、例えば、エネルギを節約するために中断される。この状態は、“アイドルモード”と称される。しかしながら、欠けたＲＲＣ接続のため、前記ネットワークは、アイドルモードＵＥが現在配置されている無線セル２に対する当該アイドルモードＵＥの位置に関する情報を持たない。
【００３０】
前記ＲＲＣ接続の間に前記ＵＥに割り当てられた明白な識別子に加えて、前記ＲＲＣ接続は、符号化された形式のコンテンツ又はペイロードデータの伝送をも可能にする。更に、これは、場合により暗号化されることができない制御データが、いわゆる介入者（man-in-the-middle）による不正な変更に対していわゆるインテグリティ保護により保護されることを保証する。データ暗号化に対して、いわゆる暗号鍵が使用され、前記インテグリティ保護のためにいわゆるインテグリティ鍵が使用される。
【００３１】
ｐ２ｍチャネル（ポイント・ツー・マルチポイントチャネル）が使用される場合、前記ＣＲＮＣは、ノードＢ６を介してそれぞれの無線セル２に対して前記ＭＢＭＳコンテンツ（マルチメディア放送マルチキャストサービスコンテンツ）を配信する。ＤＣＨのようなｐ２ｐチャネル、即ちポイント・ツー・ポイントチャネルが使用される場合、前記ＳＲＮＣは、前記ＭＢＭＳコンテンツを個々のチャネルを介して直接的にそれぞれのＵＥ１８に伝送し、より多くのＵＥ１８が存在する場合に、同じＭＢＭＳコンテンツが同じ無線セル２内の複数のｐ２ｐチャネルにより対応する複数のＵＥ１８に配信されなければならないようにする。
【００３２】
前記ＲＮＣは、ＳＧＳＮ１０から前記ＭＢＭＳコンテンツを受信し、ＳＧＳＮ１０は、ＢＭ−ＳＣ（放送マルチキャストサービスセンタ）１４から前記ＭＢＭＳコンテンツを受信する。ＢＭ−ＳＣ１４内で、前記ＭＢＭＳコンテンツは、コンテンツプロバイダ１６による提供の後に記憶又はバッファされる。
【００３３】
特定のＭＢＭＳコンテンツ伝送が計画されている又は進行中であるサービスに参加しているＵＥの数が、ｐ２ｍチャネルを介する前記ＭＢＭＳコンテンツの伝送を正当化することを前記ＣＲＮＣが１つの無線セル２に対して決定する場合、前記ＣＲＮＣは各関連するＵＥに対して前記ＵＥの対応するＳＲＮＣに知らせる。この場合、前記ＣＲＮＣは、ｐ２ｍチャネルに切り替え、前記対応するＳＲＮＣは、ｐ２ｐチャネルを介する前記関連するＵＥに対する直接的な伝送を避ける。これは、ここに参照により組み入れられた3 GPP TS 25.346v1.3.0:“Introduction of Multimedia Broadcast/Multicast Service (MBMS) in the Radio Access Network (Stage-2)”に詳細に記載されている。しかしながら、既に上で述べたように、前記サービスが前記ＭＢＭＳコンテンツ伝送を実行する無線セル２内のＵＥの数が、前記ｐ２ｍチャネルにより生じた増大された混信により前記ｐ２ｍチャネルを介する伝送を正当化しない場合、前記ＭＢＭＳコンテンツは、複数の個々のｐ２ｐチャネルを介して対応するＵＥ２に提供されることができる。この場合、前記ＣＲＮＣは、各受信するＵＥに対して前記対応するＳＲＮＣを要求し、前記ｐ２ｐチャネルにより使用されるべき対応する無線運搬器（radio bearer、ＲＢ）を確立又はセットアップする。これは、ノードＢ６とＵＥ１８との間のインターフェース、即ち前記ＵＭＴＳのエアインターフェース（air interface）であるＵｕ上のチャネルタイプ切り替えとも称される。
【００３４】
図２を参照して下記に、前記アイドルモードでのＵＥによる前記ＭＢＭＳコンテンツの受信が、更に詳細に記載される。
【００３５】
上述のように、前記ＵＥが“参加”ＵＥである場合、即ち初期化又は参加手順の間に前記ＭＢＭＳコンテンツに対するそれぞれのサービスに登録されている場合に、前記ＵＥはＭＢＭＳコンテンツを受信することができる。代替的には“ＭＢＭＳサービスアクティブ化”とも称されることができるこの参加手順は、図２に描かれたように、前記ＵＥと、前記ＳＧＳＮと、前記ＢＭ−ＳＣとの間で実行される。この参加手順のより詳細な記載は、例えば、参照により本書に含まれる3 GPP TS 23.846v6.1.0、“Multimedia Broadcast/Multicast Service: Architecture and Functional Description, (Release 6)”に記載されている。
【００３６】
前記参加手順により、いわゆるＭＢＭＳコンテキストは、前記ＲＮＣにおいて生成され、前記ＭＢＭＳコンテンツを提供するＭＢＭＳサービスのアイデンティティと各参加ＵＥのアイデンティティを連結する。これにより、前記ＲＮＣは、前記対応する無線セル内に配置された全ての参加ＵＥが前記ＭＢＭＳコンテンツを受信することができるように、前記無線セル内に前記ＭＢＭＳコンテンツを配信することができる。これは、図２においてより詳細に描かれている。
【００３７】
始めに、１．で示されるように、前記ＵＥは、ＭＢＭＳコンテキストアクティブ化要求メッセージ（activate MBMS Context Request Message）を前記ＳＧＳＮに送信する。このＭＢＭＳコンテキストアクティブ化要求メッセージは、前記ＵＥが加入することを望む、即ち前記ＵＥが参加することを望むＭＢＭＳマルチキャストサービスを識別するＩＰマルチキャストアドレスを含む。ＡＰＮ（アクセスポイントネーム）は、前記ＧＧＳＮを特定する。次いで、前記ＳＧＳＮは、前記ＭＢＭＳコンテキストアクティブ化要求メッセージを解析し、前記ＵＥが配置され複数のＭＢＭＳコンテキストを生成するルーティング領域をサポートするＲＮＣを決定する。前記ＭＢＭＳコンテキストの数は、前記ルーティング領域に対して働くＲＮＣの数に対応する。次いで、図２の２．により示されるように、前記ＵＥの認証のようなセキュリティ機能が実行されることができる。しかしながら、これらのセキュリティ機能は、本発明の実施に必須ではない。次いで、図２の３．で示されるように、前記ＵＥがこのルーティング領域における特定のＭＢＭＳマルチキャストサービスをアクティブ化する初めのものである場合、前記ＳＧＳＮは、前記ルーティング領域をサポートする又は働くＲＮＣを決定し、前記ＧＧＳＮにおけるＭＢＭＳコンテキストの生成、及び前記ＳＧＳＮと前記ＧＧＳＮとの間のＧＰＲＳトンネルの確立を要求する。
【００３８】
図２の４．で示されるように、前記ＧＧＳＮは、前記ＧＰＲＳトンネルがこのＭＢＭＳマルチキャストサービスに対する初めのものである場合に、前記ＭＢＭＳデータソース、即ち前記ＢＭ−ＳＣに対する要求されたマルチキャストＩＰアドレスの接続を確立する。次いで、図２の５．で示されるように、前記ＧＧＳＮは、前記ＳＧＳＮに対するＭＢＭＳコンテキストの生成を確認する。次いで、６．で示されるように、前記ＳＧＳＮは、ＴＭＧＩ即ち一時マルチキャストグループアイデンティティ（temporary multicast group identity）を含む前記ＵＥに前記ＭＢＭＳコンテキストアクティブ化受容メッセージ（activate MBMS Context Accept Message）を送信する。
【００３９】
更に、前記ＵＥは、伝送された場合に前記ＭＢＭＳコンテンツを復号することを可能にする“参加”プロセスを用いてセキュリティ関連データ（例えば暗号鍵）を受信する。“参加”ＵＥは、対応する“脱退”手順において受信権利を放棄することができる。これにより、セキュリティ関連データは、残りの“参加”ＵＥのみが前記ＭＢＭＳコンテンツを復号することができるように修正される。“参加”及び“脱退”は、固定された期限の加入だけでなく実際のデータ受信にも基づく課金概念に対する重要な前提条件である。
【００４０】
一方、ＭＢＭＳコンテンツの受信の間でさえ、可能な限りバッテリエネルギを節約するために、前記“参加”ＵＥがアイドルモードである場合にＭＢＭＳコンテンツの受信が前記“参加”ＵＥに対して可能であるべきことは、必要だと思われる。これは、特に、かなりの数の参加者が予測され、したがって前記参加プロセス単独に対する無線リソースに対する大量のアクセスを避けるために前記参加プロセスが伝送の前に行われるべきである場合に、ＭＢＭＳコンテンツの伝送に適用する。これは、例えば、観客がスタジアムでサッカーの試合を生で経験し、同時に行われている他のサッカーの試合で得点されたゴールの伝送を携帯電話で受信することを望む、いわゆる“サッカースタジアムシナリオ”の場合である。
【００４１】
アイドルモードＵＥが位置する前記セルは、ＲＮＣには知られていないので、ＲＮＣは、追加のステップ無しでは、前記アイドルモードにおいて前記セル内に存在する又はしないかもしれない前記“参加”ＵＥに応じてｐ２ｐチャネルに関する又はｐ２ｍチャネルに関する前記ＭＢＭＳコンテンツの伝送に関して決定を行うことができない。セル内のＭＢＭＳコンテンツが、接続モードである少数の個々の“参加”ＵＥに対してｐ２ｐチャネルを介して配信される場合に、これは常に好ましくない。しかしながら、前記ＭＢＭＳコンテンツがセル内のｐ２ｍチャネルを介して配信される場合、（他の）ｐ２ｍチャネルを介して異なる制御チャネル（ＭＣＣＨ：マルチキャスト制御チャネル）上で通知が伝送され、前記（他の）ｐ２ｍチャネルを介して、ＭＢＭＳコンテンツが現在伝送されている又はこの伝送が始まろうとしていることを前記アイドルモードＵＥが確認する限り、アイドルモードＵＥは、他のステップが行われなくてもこのコンテンツを受信することができる（参照により本書に含まれる3 GPP TS 25.346v1.3.0:“Introduction of Multimedia Broadcast/Multicast Service (MBMS) in the Radio Access Network (Stage-2)”参照）。
【００４２】
したがって、間近のタスクは、無線セルごとに、伝送されるべき前記ＭＢＭＳコンテンツを受信し、同時に、指名されたＵＥがこれによりカウントされることを保証することを実際に望み且つ“参加”ＵＥである接続モード及びアイドルモードのＵＥの数に関して、ＭＢＭＳコンテンツを配信する予定である又は既に配信したＣＲＮＣに知らせることである。このアーキテクチャは、コンテンツが実際に受信されることができる場合に前記コンテンツに対してのみ支払いが行われるという一般規則を考慮することができる。“参加”ＵＥが登録しているが受信を希望しないコンテンツが伝送されるセル内の“参加”ＵＥは、この一般規則において、ｐ２ｐ又はｐ２ｍチャネルの使用の決定において考慮に入れられるべきでない。
【００４３】
これは、接続モードＵＥが、存在するＲＲＣ接続の結果として、インテグリティ保護と共に前記ＳＲＮＣに対して受信要求を通信することができるので、これらの接続モードＵＥに対しては問題ではない。ＳＲＮＣとＵＥとの間のＲＲＣ接続が存在するので、“カウントメッセージ”は、常に前記ＳＲＮＣに到達しなければならず、前記ＳＲＮＣから、前記“カウントメッセージ”は前記ＣＲＮＣに転送されることができる。この場合、前記ＳＲＮＣは、この情報を前記ＣＲＮＣに伝送し、この結果、ｐ２ｐ又はｐ２ｍチャネルの選択に関する決定が行われることができる。前記受信要求の通信は、この通信の目的が受信を要求する“参加”ＵＥの総数を決定することであるので、ここではカウントメッセージとして定められる。
【００４４】
一方、欠けているＲＲＣ接続のためにアイドルモードＵＥに対するＳＲＮＣが存在せず、したがってインテグリティ鍵がＳＲＮＣ又はＵＥのいずれにも知られていないので、アイドルモードＵＥは、インテグリティ保護を用いてＣＲＮＣに対してＳＲＮＣを介して認証することができない。これは、前記ＭＢＭＳコンテンツをアクティブ化しなかった、又はユーザが前記ＭＢＭＳサービスに加入さえしなかった“間違った”ＵＥが、単純にカウントメッセージを用いてＭＢＭＳコンテンツ通知に応答し、したがって実際に存在するより多数の受信を要求するＵＥをシミュレートすることができ、この結果、ｐ２ｍチャネルが常に使用され、セル容量はこれにより減少され（ｐ２ｍチャネルの使用に対して、約３０％の伝送容量が前記セルにおいて必要であると仮定される）、これは弱いサービスの拒否と理解されることができることを意味する。これは、前記ｐ２ｍチャネルの不必要な高い混信が、例えば音声伝送に対するＤＣＨを必要とする（考慮される無線セル内の）他の接続の拒絶を引き起こす可能性があるからである。
【００４５】
更に、伝送された前記ＭＢＭＳコンテンツに対する“参加”ＵＥでもあり、前記ＭＢＭＳコンテンツを受信することを望むアイドルモードＵＥが、一回より多くカウントされることができない、又はむしろ前記ＣＲＮＣが別々にカウントする複数の異なるカウントメッセージを送信することができないことが、保証されるべきである。
【００４６】
以下の３つのケースは、ｐ２ｍ又はｐ２ｐチャネルのいずれが有利であるかを決定する場合に区別されなければならない。
１．正確にＮ１のＵＥがカウントメッセージで通知に応答し、Ｎ１全てのＵＥが接続モードである。
ａ．Ｎ１≦Ｓp2pの場合、ＵＥは、ＣＥＬＬ＿ＤＣＨ状態に変更するように要求されなければならない。
ｂ．Ｎ１≧Ｓp2pの場合、ＵＥは、現在の状態に留まり、加えて前記ｐ２ｍチャネルを受信することができる。
２．正確にＮ２のＵＥがカウントメッセージで通知に応答し、Ｎ２全てのＵＥがアイドルモードである。
ａ．Ｎ２≦Ｓp2pの場合、前記ＵＥはＣＥＬＬ＿ＤＣＨ状態に（即ち接続状態にも）変更するように要求されなければならない。
ｂ．Ｎ２＞Ｓp2pの場合、前記ＵＥはアイドルモードに留まり、前記ｐ２ｍチャネルを介してＭＢＭＳコンテンツを受信することができる。
３．正確にＮ１＋Ｎ２のＵＥがカウントメッセージで通知に応答し、これらのうちＮ１のＵＥが接続モードであり、Ｎ２のＵＥがアイドルモードである。
ａ．Ｎ１＋Ｎ２≦Ｓp2pの場合、ＵＥはＣＥＬＬ＿ＤＣＨ状態に変更するように要求されなければならない（即ち前記Ｎ２のアイドルモードＵＥが接続モードに変更する）。
ｂ．Ｎ１＋Ｎ２＞Ｓp2pの場合、ＵＥは現在の状態（接続モード又はアイドルモード）に留まり、加えて前記ｐ２ｍチャネルを受信することができる。
【００４７】
したがって、アイドルモードＵＥに対して、前記カウントメッセージは、前記ＵＥが前記ＭＢＭＳコンテンツを受信するためには前記ＣＥＬＬ＿ＤＣＨ状態（接続モード）に変更しなくてはならないという事実を引き起こすことができる。
【００４８】
図３ａ及び図３ｂは、本発明による移動無線電気通信ネットワークを動作する方法の模範的実施例のフローチャートである。ステップＳ１における開始後に、前記方法はステップＳ２に進み、ここで前記ネットワークは、前記ＭＢＭＳサービスに参加することを望むＵＥに対して鍵を伝送する。本発明のこの態様によると、前記参加プロセス、即ち前記マルチキャストサービスのアクティブ化の間に、前記参加ＵＥには、前記ＵＥにのみ知られている秘密鍵が前記ＳＧＳＮに対して与えられ、前記参加プロセス後にはロケーション領域の前記ＲＮＣに対して与えられる。次いで、前記ネットワークから前記ＵＥへの前記鍵の伝送後に、前記方法はステップＳ３に進み、ここで前記サービスに加入しているそれぞれのＵＥに与えられた前記鍵が、前記それぞれのＵＥのＩＤと一緒に前記ＣＲＮＣに記憶される。次いで、前記方法は、ステップＳ４に進み、ここで前記ネットワーク、即ち前記ＲＮＣは、前記ＭＢＭＳサービスがステップＳ４においてコンテンツ配信を開始するというアナウンスメッセージを放送する。前記コンテンツ配信の開始のアナウンスは、通知チャネルを介して行われることができる。次いで、前記方法はステップＳ５に進み、ここで前記サービスに加入している前記ＵＥは、それぞれのＭＢＭＳサービスに対応する鍵に基づいて第１のトークンＴを生成する。前記トークンは、当該ＭＢＭＳサービスを識別するＭＢＭＳサービスＩＤを使用することにより、例えば２０ビットを持つことができるランダムに決定された数と、前記鍵とに基づいて所定のアルゴリズムｆcountにしたがって生成されることができる。したがって、第１のトークンＴは、以下の式により決定されることができる。
Ｔ＝ｆcount(鍵、ＭＢＭＳサービスＩＤ、補助的な数)
【００４９】
次いで、前記方法はステップ６に進み、ここで前記ＵＥは、第１のトークンＴを前記ＲＮＣに伝送し、前記ＲＮＣは第１のトークンＴを前記ＣＮに転送する。次いで、前記方法はステップＳ７に進み、第２のトークンＴCRNCが、ステップＳ３で前記ＣＲＮＣに記憶された前記ＩＤに基づいて前記ＣＲＮＣにおいて生成される。次いで、前記方法はステップＳ８に進み、ここで前記ＣＲＮＣ又は前記移動無線電気通信ネットワーク内の他の適切なネットワーク要素は、前記第１のトークンを前記第２のトークンと照合する。前記第１のトークンが前記第２のトークンと一致する、即ち前記第１のトークンが前記第２のトークンと対応すると決定される場合には、図３ａの下部及び図３ｂの上部の円で囲まれたＡで示されるように、前記方法はステップＳ９に進み、ここでカウンタｎは、対応する第１のトークンと第２のトークンとの各対に対して１だけインクリメントされる。
【００５０】
ステップＳ８において、前記第１のトークンが前記第２のトークンと一致しないことが決定される場合、前記方法は、図３ａの下部及び図３ｂの上部に円で囲まれたＢにより示されるようにステップＳ１０に進む。
【００５１】
ステップＳ１０において、カウンタｎの値、即ち前記無線セル内の前記サービスに加入しているＵＥの数が、閾値を超えるかどうかが決定され、この閾値の上では、ｐ２ｍチャネルを介する前記ＭＢＭＳコンテンツの伝送が前記ｐ２ｐチャネルを介する伝送より混信に関して好ましい。ステップＳ１０においてカウンタｎが閾値ｎthrを超えると決定される場合、前記方法はステップＳ１１に進み、ここで前記ＭＢＭＳコンテンツは、ｐ２ｍチャネルを介して前記ＭＢＭＳサービスの加入又は参加ＵＥに対して伝送される。次いで、ステップＳ１１の後に、前記方法はステップＳ１３に進み、終了する。
【００５２】
ステップＳ１０において、カウンタ値ｎが閾値ｎthrを超えないと決定される場合、前記方法はステップＳ１２に進み、ここで前記ＭＢＭＳコンテンツが、個々のｐ２ｐチャネルを介してそれぞれのＭＢＭＳサービスに加入している前記ＵＥに対して伝送される。次いで、ステップＳ１２の後に、前記方法ステップＳ１３に進み、終了する。
【００５３】
上で示されたように、ステップＳ６において、前記ＵＥは前記第１のトークンを前記ＣＲＮＣに伝送する。本発明の態様によると、前記第１のトークンと一緒に、前記ＵＥは、ＵＥ−ＩＤ、例えば一時移動サブスクライバアイデンティティ（temporary mobile subscriber identity）であるＴＭＳＩのようなＵＥ識別子を伝送することができる。前記第１のトークン及び前記ＵＥ識別子は、例えば、参照により本書に含まれる3 GPP TS 25.331v540“Radio Resource Control (RRC) protocol specification”, Release 5に記載されるように、修正ＲＲＣ接続セットアップメッセージを介して前記ＣＲＮＣに伝送されることができる。
【００５４】
ステップＳ３に関して示されるように、前記ＣＲＮＣは、例えば、前記ＭＢＭＳコンテキストの一部として、参加ＩＤの識別子又はアイデンティティと一緒に前記参加ＵＥに伝送される前記鍵を持つ。ステップＳ７に示されるように、前記ＵＥから前記第１のトークンを受信した後に、即ち前記ＵＥから前記カウントメッセージを受信した後に、前記ＣＲＮＣは、上で示されたように前記カウントメッセージに含まれることができる前記補助的な数と、前記鍵と、関連する前記ＭＢＭＳサービスのＭＢＭＳサービスＩＤとを用いて、上で示されたように前記カウントメッセージに含まれることができる前記ＵＥ−ＩＤに基づいて第２のトークンＴCRNCを生成し、これから受信する参加ＵＥの数が決定されるべきである。本発明の態様によると、前記第１のトークン及び前記第２のトークンを生成するアルゴリズムは、前記第１のトークン及び前記第２のトークンが互いに対応するようになっている。前記ＵＥから受信される第１のトークンＴと、第１のトークンＴに対応するそれぞれのＣＲＮＣにより決定される第２のトークンＴCRNCとが互いに対応する場合、前記ＵＥは、カウントされなければらない“有効な”ＵＥであると決定され、ステップＳ９を参照して示されるように、カウンタは１だけインクリメントされる。有利には、上で示されたように、前記第１のトークン及び前記第２のトークンの生成に対して使用されることができる前記補助的な数は、カウントメッセージが一回のみカウントされることを保証することを可能にする。これにより、先行するカウント手順又は実際のカウント手順の間に受信及び複製されたＵＥの不正な複製が再送され、不正なカウント値を生じることが避けられることができる。
【００５５】
本発明の態様によると、第１のトークンＴを生成する補助的な数は、前記ＵＥにより決定されることができ、プレーンテキスト又はクリアテキストとしてステップＳ６において前記カウントメッセージで前記ＣＲＮＣに送信されることができる。有利には、これにより、前記補助的な数が前記通知チャネルを介して送信されなければならず、したがって前記通知チャネルにおけるトラフィックの増加は生じない。有利には、各カウントプロセスに対して、例えば各カウントプロセスに対して１だけインクリメントされることができる新しい補助的な数が決定されることができる。前記ＣＲＮＣは、先行するカウント手順の補助的な数を記憶することができ、次いで、有効な、即ち実際の補助的な数を含むＵＥからのカウントメッセージのみを含むことができる。前記ＣＲＮＣが、前記ＣＲＮＣに記憶された先行するカウントプロセスの補助的な数を超える補助的な数を含む、実際のカウント処理のカウントメッセージのみを含むことも可能である。
【００５６】
本発明の他の態様によると、前記補助的な数は、前記カウントメッセージに含まれることができる、絶対時間、例えば、年、月、日、時間、分及び秒であることができる。カウントネットワーク要素、即ち前記ＣＲＮＣは、前記カウントメッセージに含まれるタイムスタンプを独自の絶対時間と比較する。独自の実際の時間と受信したタイムスタンプとの間の差が所定の閾値を超えない場合、前記ＣＲＮＣは、前記カウントメッセージが、複製及び再送されたバージョンのカウントメッセージではなく、したがって前記鍵と、前記ＭＢＭＳサービスＩＤと、前記ＵＥ識別子と、前記補助的な数とを使用することにより前記第２のトークンを生成し、前記第２のトークンを前記第１のトークンと照合することを仮定する。したがって、本発明のこの模範的実施例によると、受信されたカウントメッセージが有効なカウントメッセージであり、複製又は再送されたカウントメッセージではないかどうか、容易に決定されることができる。
【００５７】
本発明の他の態様によると、第１のトークンＴの決定に対する前記補助的な数は、前記通知チャネルを介してカウント通知を送信する前記ＣＲＮＣにより決定されるランダムな数であることができる。このランダムな数は、前記ＣＲＮＣからそれぞれのＵＥに送信される前記通知メッセージのクリアテキストまたはプレーンテキストとして前記ＵＥに送信されることができる。有利には、本発明のこの態様によると、前記ランダムな数は、前記通知メッセージに含まれなければならない。しかしながら、前記ＵＥは前記カウントメッセージにおいて前記ＵＥ−ＩＤと一緒に前記第１のトークンを前記ＣＲＮＣに伝送する必要があるのみであり、前記ＣＲＮＣは、前記カウントプロセスの期間だけ前記ランダムな数を記憶する必要があるのみである。前記ランダムな数は、各カウントプロセスに対して変更されることができる。
【００５８】
本発明の他の態様によると、前記参加プロセスの間に、複数の秘密の第１のトークンが、前記サービスに参加する前記ＵＥに対して提出されることができる。この場合、前記ＣＲＮＣからのカウント通知の受信後に、前記ＵＥは、前記カウントメッセージを用いて前記ＣＲＮＣに対して独自のＵＥ−ＩＤ、前記ＭＢＭＳサービスの前記ＭＢＭＳサービスＩＤと共に前記秘密の第１のトークンの１つを伝送する。本発明のこの態様によると、秘密のトークンの数は、各ＵＥに対して、前記参加手順の一部として前記ルーティング領域内の各ＲＮＣにも与えられる。前記ＵＥは、一回のカウント手順に対して１つの第１のトークンのみを使用する。前記ＣＲＮＣは、前記ＵＥ−ＩＤ及び前記ＭＢＭＳサービスＩＤを含む前記カウントメッセージを受信する場合に、指示されたＵＥ−ＩＤを持つ指示されたＭＢＭＳサービスのＭＢＭＳコンテキスト内で対応する第２のトークンを検索する。前記ＭＢＭＳコンテキスト内に一致する第２のトークンが存在する場合に、前記ＵＥがカウントされ、この第２のトークンが削除される。前記第１のトークンが第２のトークンと一致することができない場合、前記カウントメッセージは無視される。ＵＥは、カウントメッセージの一部として伝送したトークンを放棄しなければならない。
【００５９】
本発明の他の態様によると、前記ＭＢＭＳサービスＩＤと一緒の前記トークンのみが、前記カウントメッセージの一部として前記カウントネットワーク要素、即ち前記ＣＲＮＣ又は前記ネットワーク内の他の適切な要素に送信され、前記第１のトークンは、前記絶対時間、前記鍵及び前記ＭＢＭＳサービスＩＤから計算され、これにより前記絶対時間が測定される所定の精度は、前記カウントメッセージの伝送並びに受信されたカウントメッセージの処理及び評価が、精度間隔に等しい時間間隔内に両方とも行われることができるようになっている。このような所定の精度は、例えば１０００ｍｓであることができる。この場合、前記カウントネットワーク要素は、前記カウントメッセージを受信した後に独自の絶対時間に基づいて前記第２のトークンを計算し、ここで前記絶対時間は上述の所定の精度で測定される。前記第１のトークン及び前記第２のトークンが一致しない場合、前記カウントネットワーク要素は、前記精度間隔により過去に設定された、前記カウントメッセージが受信された場合に、前記絶対時間に基づいて前記第２のトークンを計算する。前記第１のトークン及び前記第２のトークンが一致する場合、対応するＵＥは、カウントされなければならないＵＥと見なされる。前記第１のトークン及び前記第２のトークンが依然として一致しない場合、前記カウントメッセージは無視される。
【００６０】
無線フレームタイミングのため、ＣＲＮＣ及び前記ＵＥの両方が所定の低い精度の同期クロックを維持することができることに注意すべきである。
【００６１】
本発明の他の態様によると、受信されたカウントメッセージの数が、前記ｐ２ｍチャネルを介する伝送が好ましい閾値を超える場合に、受信された全ての他のカウントメッセージは無視されることができる。しかしながら、前記第１のトークンの秘密のセットが前記参加手順の間に前記ＵＥに引き渡される場合に、カウントされた参加ＵＥの数が前記閾値レベルを超える場合でさえも、前記受信されたメッセージが解析されなければならず、対応するトークン又は補助的な数が登録又は削除されなければならないように、既に使用された第２のトークンは、前記ＣＲＮＣにおいて削除されなければならない。
【００６２】
有利には、本発明によると、それぞれのＭＢＭＳサービスに既に参加しているアイドルモードＵＥのみが前記ＣＲＮＣの前記カウントプロセスに含まれるので、精度の高いカウントが提供される。他のＵＥの他のカウントメッセージは無視される。更に、有利には、アイドルモードＵＥは、前記ＭＢＭＳサービス通知に応答して複数のカウントメッセージを送信することができるが、１つのカウントメッセージのみが前記カウントプロセスに含まれるので、送信されたカウントメッセージの数とは独立に、このＵＥは１としてカウントされるだけである。
【図面の簡単な説明】
【００６３】
【図１】本発明によるユーザ機器ユニット及び無線ネットワークコントローラの模範的実施例を含む、本発明による移動無線電気通信ネットワークの模範的実施例の単純化されたネットワークアーキテクチャの概略的表現を示す。
【図２】本発明の模範的実施例によるサービスアクティブ化に対する単純化された手順を示す。
【図３ａ】本発明の模範的実施例による方法のフローチャートを示す。
【図３ｂ】本発明の模範的実施例による方法のフローチャートを示す。
【図１】
2007501584.tif 000003
【図２】
2007501584.tif 000004
【図３ａ】
2007501584.tif 000005
【図３ｂ】
2007501584.tif 000006
【国際調査報告】
2007501584.tif 000007
2007501584.tif 000008
2007501584.tif 000009